(57)【要約】  血管内異物吸引用カテーテル１は、可撓性外側チューブ２と、可撓性外側チューブ２内を挿通し、先端部が可撓性外側チューブ２より突出可能な可撓性内側チューブ３とを備える。外側チューブ２は、外側チューブ２の先端付近かつ周縁部に位置する先端開口と、先端開口より所定長基端側となる側部に位置する後端開口とを有するガイドワイヤルーメンを備え、内側チューブ３は、閉塞先端部３５と、閉塞先端部３５付近に始端を有し、基端側に延びる長い側孔３２を備え、かつ、内側チューブ３は、外側チューブ２内を軸方向に摺動可能であり、外側チューブ２の先端より露出する側孔の開口面積を調整可能となっている。
2014147815.tif 000002
【特許請求の範囲】
【請求項１】
可撓性外側チューブと、前記可撓性外側チューブ内を挿通し、先端部が前記可撓性外側チューブより突出可能な可撓性内側チューブとを備える血管内異物吸引用カテーテルであって、
前記外側チューブは、前記外側チューブの先端付近かつ周縁部に位置する先端開口と、前記先端開口より所定長基端側となる側部に位置する後端開口とを有するガイドワイヤルーメンを備え、前記内側チューブは、閉塞先端部と、前記閉塞先端部付近に始端を有し、基端側に延びる長い側孔を備え、かつ、前記内側チューブは、前記外側チューブ内を軸方向に摺動可能であり、前記外側チューブの先端より露出する前記側孔の開口面積を調整可能であることを特徴とする血管内異物吸引用カテーテル。
【請求項２】
前記内側チューブは、前記内側チューブの基端部にて与えた回転力により、前記先端部が回転し、前記側孔の位置を変更可能である請求項１に記載の血管内異物吸引用カテーテル。
【請求項３】
前記側孔は、前記内側チューブの中心軸にほぼ平行に直線状に延びている請求項１または２に記載の血管内異物吸引用カテーテル。
【請求項４】
前記側孔は、前記内側チューブの中心軸に対して斜めに延びる部分もしくは湾曲部を備えている請求項１または２に記載の血管内異物吸引用カテーテル。
【請求項５】
前記内側チューブは、剛性付与体を備えている請求項１ないし４のいずれかに記載の血管内異物吸引用カテーテル。
【請求項６】
前記内側チューブの内面もしくは前記外側チューブの内面は、摺動性表面となっている請求項１ないし５のいずれかに記載の血管内異物吸引用カテーテル。
【請求項７】
前記血管内異物吸引用カテーテルは、前記外側チューブの先端より突出する前記内側チューブの突出長を規制する突出長規制部を備えている請求項１ないし６のいずれかに記載の血管内異物吸引用カテーテル。
【発明の詳細な説明】
【技術分野】
【０００１】
本発明は、血管内の狭窄原因物質等の異物を吸引するための血管内異物吸引用カテーテルに関する。
【背景技術】
【０００２】
血管内壁面に形成された狭窄原因物質（例えば、血栓）等の異物を除去するために、長尺なシャフト内に吸引ルーメンが形成された吸引カテーテルが用いられている。【０００３】
吸引カテーテルとしては、アウタチューブとその内部に挿入されたインナチューブとを備えるタイプのものがある。このようなタイプの吸引カテーテルとして、例えば、特許文献１（特開２００９−７２２９４公報）のものがある。
特許文献１の吸引カテーテルは、先端に第１の開口部１１ｂが形成されるとともに吸引ルーメン１１ａを構成するアウタチューブ１１と、前記アウタチューブ１１の長手方向に沿って前記アウタチューブ１１内に設けられたインナチューブ１３と、アウタチューブ１１を導くためのガイドワイヤ１６とを備えた吸引カテーテル１０であって、前記インナチューブ１３の側壁部には、前記インナチューブ１３内部と前記吸引ルーメン１１ａとを流通可能とする複数の貫通孔１４が形成されるとともに、前記インナチューブ１３内部に注入された液体が前記貫通孔１４から噴射可能に構成されている。
【先行技術文献】
【特許文献】
【０００４】
【特許文献１】特開２００９−７２２９４公報
【発明の開示】
【発明が解決しようとする課題】
【０００５】
上記のような吸引カテーテルでは、より確実に異物を吸引できることが望まれる。
本発明の目的は、より確実かつ容易に血管内の異物を吸引除去することができる血管内異物吸引用カテーテルを提供するものである。
【課題を解決するための手段】
【０００６】
上記目的を達成する血管内異物吸引用カテーテルは、以下のものである。
可撓性外側チューブと、前記可撓性外側チューブ内を挿通し、先端部が前記可撓性外側チューブより突出可能な可撓性内側チューブとを備える血管内異物吸引用カテーテルであって、前記外側チューブは、前記外側チューブの先端付近かつ周縁部に位置する先端開口と、前記先端開口より所定長基端側となる側部に位置する後端開口とを有するガイドワイヤルーメンを備え、前記内側チューブは、閉塞先端部と、前記閉塞先端部付近に始端を有し、基端側に延びる長い側孔を備え、かつ、前記内側チューブは、前記外側チューブ内を軸方向に摺動可能であり、前記外側チューブの先端より露出する前記側孔の開口面積を調整可能である血管内異物吸引用カテーテル。
【図面の簡単な説明】
【０００７】
【図１】図１は、本発明の実施例の血管内異物吸引用カテーテルの部分省略正面図である。
【図２】図２は、図１に示した血管内異物吸引用カテーテルの先端部の拡大縦断面図である。
【図３】図３は、図２のＡ−Ａ線拡大断面図である。
【図４】図４は、本発明の血管内異物吸引用カテーテルの作用を説明するための説明図である。
【図５】図５は、図１に示した血管内異物吸引用カテーテルに用いられている可撓性内側チューブの部分省略正面図である。
【図６】図６は、図５に示した可撓性内側チューブの拡大縦断面図である。
【図７】図７は、図５の示した可撓性内側チューブの先端部の拡大底面図である。
【図８】図８は、図６のＢ−Ｂ線拡大断面図である。
【図９】図９は、本発明の血管内異物吸引用カテーテルに用いられる他の例の可撓性内側チューブの先端部の拡大底面図である。
【図１０】図１０は、本発明の血管内異物吸引用カテーテルに用いられる他の例の可撓性内側チューブの先端部の拡大底面図である。
【図１１】図１１は、本発明の血管内異物吸引用カテーテルに用いられる他の例の可撓性内側チューブの先端部の拡大底面図である。
【図１２】図１２は、図１に示した血管内異物吸引用カテーテルに用いられている可撓性外側チューブの部分省略正面図である。
【図１３】図１３は、図１２に示した可撓性外側チューブの拡大縦断面図である。
【図１４】図１４は、本発明の血管内異物吸引用カテーテルに用いられる他の例の可撓性内側チューブの部分省略正面図である。
【図１５】図１５は、本発明の他の実施例の血管内異物吸引用カテーテルの基端部の拡大正面図である。
【発明を実施するための形態】
【０００８】
本発明の血管内異物吸引用カテーテルを図示する実施例を用いて説明する。
本発明の血管内異物吸引用カテーテル１は、可撓性外側チューブ２と、可撓性外側チューブ２内を挿通し、先端部が可撓性外側チューブ２より突出可能な可撓性内側チューブ３とを備える。外側チューブ２は、外側チューブ２の先端付近かつ周縁部に位置する先端開口と、先端開口より所定長基端側となる側部に位置する後端開口とを有するガイドワイヤルーメンを備え、内側チューブ３は、閉塞先端部３５と、閉塞先端部３５付近に始端を有し、基端側に延びる長い側孔３２を備え、かつ、内側チューブ３は、外側チューブ２内を軸方向に摺動可能であり、外側チューブ２の先端より露出する側孔の開口面積（もしくは、軸方向長）を調整可能となっている。
【０００９】
本発明の血管内異物吸引用カテーテル１は、可撓性外側チューブ２と、可撓性外側チューブ２内を挿通する可撓性内側チューブ３とを備える。
可撓性外側チューブ２は、メインルーメン２０を有する外側チューブ本体２１と、ガイドワイヤルーメン４０を有する細径のサイドチューブ４１とからなる。サイドチューブ４１は、外側チューブ本体２１の先端部の側面に固着されている。外側チューブ本体２１とサイドチューブ４１は、互いに連通しておらず、隣接して独立している。
【００１０】
外側チューブ本体２１の最先端には、先端に向かって傾斜して開口する吸引口を有するチップ部材２２が設けられている。サイドチューブ４１の最先端は、チップ部材２２の先端よりも少し突出しており、この突出部分にＸ線不透過マーカ（造影マーカ）４２が固着されている。Ｘ線不透過マーカ４２は、サイドチューブ４１の外周面に設けられ、金や白金等からなるＸ線（放射線）不透過性を有する材質によって形成されている。これにより、Ｘ線造影により、生体内におけるカテーテル１の先端位置を視認可能となっている。Ｘ線不透過マーカ４２は、外周面に露出しておらず、サイドチューブ４１に埋め込まれていてもよい。そして、チップ部材２２は、チューブ本体２１より柔軟なものとなっている。
【００１１】
そして、この実施例の外側チューブ本体２１では、その先端から後端まで伸びる内層チューブ２５を有している。そして、チューブ本体２１およびチップ部材２２は、内層チューブ２５の外面を被覆するものとなっている。
外側チューブ本体２１は、外径が１．１ｍｍ〜４．０ｍｍ、好ましくは１．２ｍｍ〜３．０ｍｍであり、肉厚が２０μｍ〜５００μｍ、好ましくは１００μｍ〜４００μｍであり、長さが５００ｍｍ〜２０００ｍｍ、好ましくは１２００ｍｍ〜１６００ｍｍである。
【００１２】
サイドチューブ４１は、その先端開口からガイドワイヤをガイドワイヤルーメン４０内に挿入可能であり、かつ、基端開口部４４より、外部に導出可能である。また、サイドチューブ４１は、外側チューブ本体２１のチップ部材２２の先端より、メインチューブ２１とチップ部材２２との接合部を越え、所定長メインチューブの基端側に延びるものとなっている。特に、図示する実施例のものでは、サイドチューブ４１は、外側チューブ本体２１のチップ部材２２の先端より延び、チューブ本体２１の先端部外面に到達するものとなっている。
サイドチューブ４１は、外径が０．４ｍｍ〜１．２ｍｍ、好ましくは０．６ｍｍ〜１．０ｍｍであり、肉厚が１０μｍ〜４００μｍ、好ましくは１００μｍ〜２５０μｍであり、長さが１０ｍｍ〜３５０ｍｍ、好ましくは２５ｍｍ〜２５０ｍｍである。
【００１３】
そして、外側チューブ本体２１は、上述したように、可撓性熱可塑性樹脂の外層と、ある程度の補形性を有する材料の内層２５を有する２層チューブであることが好ましい。また、チップ部材２２、チューブ本体２１は、サイドチューブ４１の形成材料と相溶性のある材質により形成される。
外側チューブ本体２１（チップ部材２２を含む）およびサイドチューブ４１に用いられる合成樹脂としては、例えば、ポリオレフィン（例えば、ポリエチレン、ポリプロピレン）、ポリオレフィンエラストマー（例えば、ポリエチレンエラストマー、ポリプロピレンエラストマー、エチレンープロピレン共重合体などを用いたエラストマー等）、ポリ塩化ビニル、エチレン−酢酸ビニル共重合体、ポリアミドエラストマー、ポリウレタン、フッ素樹脂等の熱可塑性樹脂、シリコーンゴム等が使用でき、好ましくは、ポリエチレン、ポリアミドエラストマーあるいはポリウレタンである。また、外側チューブ本体およびサイドチューブは、ガイドワイヤの湾曲の妨げにならない程度に柔軟であることが好ましい。
【００１４】
また、内層の形成材料としては、カテーテルチューブの形成材料として、上述した可撓性樹脂、さらには、硬質樹脂を用いてもよい。硬質合成樹脂としては、ＰＴＦＥ，ＥＴＦＥなどのフッ素樹脂、ポリイミド、ポリエステル（例えば、ポリエチレンテレフタレート、ポリブチレンテレフタレート）、ポリオレフィン（例えば、ポリエチレン、ポリプロピレン）、ポリアミド、ポリイミドなどが用いられる。
そして、図１、図３、図１２および図１３に示すように、外側チューブ本体２１は、先端部かつ軸方向に伸びる凹部を備えており、この凹部に、サイドチューブ４１が融着されている。また、外側チューブ本体２１は、上記凹部を形成するメインルーメン内に突出する軸方向突出部２６を備えている。よって、外側チューブ本体２１の凹部を有する部分は、内層２５を含む外側チューブ本体２１の内壁が、内側に突出している。このため、外側チューブ本体２１の凹部を有する部分は、メインルーメンが、断面円形ではなく、一部が、平坦面化した変形形態となっている。また、外側チューブ本体２１の先端２７は、サイトチューブ４１側に先端を有する傾斜開口部となっている。また、サイドチューブ４１の後端開口４４も傾斜開口部となっている。
【００１５】
外側チューブハブ２３は、図１、図１２および図１３に示すような形状および構造を有している。具体的には、ハブ２３は、メインルーメン２０と連通する貫通した内部通路を有する筒状体である。そして、ハブ２３の先端部内に、外側チューブ本体２１の後端部を収納している。また、ハブ２３と外側チューブ本体２１の後端部は、固着されている。
内側チューブ３は、内側チューブ本体３１とその基端に固定された内側チューブハブ３３とを備える。内側チューブ３は、外側チューブ２内を軸方向に摺動可能であり、外側チューブ２の先端より露出する側孔の開口面積（もしくは、軸方向長）を調整可能となっている。
内側チューブ３は、内部にルーメン３０を有するチューブであり、閉塞した先端部３５を有する。また、先端部３５の外面は、丸味を帯びたものとなっている。そして、内側チューブ３は、側孔３２を備えている。側孔３２は、閉塞先端部３５より、若干基端側に始端を有し、終端３７まで、所定長後端側に延びるかなりの軸方向長を有する長孔となっている。
【００１６】
特に、この実施例の内側チューブ３では、図２、図４，図５および図７に示すように、側孔３２は、閉塞先端部３５より、若干基端側となる位置に始端３６を有している。そして、図２に示すように、先端部３５が、外側チューブ２の先端開口２７付近かつ内部に位置し、先端部３５が開口２７より突出しない状態において、側孔３２の終端３７は、サイドチューブ４１の基端開口４４より、基端側に位置するものとなっている。このため、図２に示す状態におけるカテーテルのサイドチューブを有する部分のほぼ全長には、側孔が位置するものとなり、先端部の柔軟性を確保している。なお、図２のような状態となることが好ましいが、側孔３２の終端は、サイドチューブ４１の基端開口４４より、先端側に位置するものであってもよい。
【００１７】
本発明のカテーテル１では、図４に示すように、内側チューブ３を先端方向に押すことにより、その先端部は、外側チューブ２の開口２７より、突出する。そして、内側チューブ３の外側チューブからの突出長を調整することにより、露出する側孔３２の軸方向長および開口面積が変化する。内側チューブ３の突出長を調整することにより、吸引調整を行うことができる。
さらに、この実施例のカテーテル１では、内側チューブ３は、内側チューブ３の基端部にて与えた回転力により、先端部が回転し、側孔３２の周方向位置を変更可能となっている。具体的には、内側チューブ３は、図３，図６ないし図９に示すように、剛性付与体７１を備えている。特に、この実施例では、複数本（具体的には、３本）の線状剛性付与体７１が、内側チューブ３の中心軸にほぼ平行に設けられている。さらに、２本の剛性付与体７１は、側孔３２の両側部付近に設けられており、他の１本の剛性付与体は、両者の中央となるように配置されている。
このような剛性付与体７１を設けることにより、内側チューブ３の基端部にて付与した回転力を先端部まで伝達できるものとなり、かつ、内側チューブ３の軸方向移動も容易となる。また、この実施例では、剛性付与体７１の先端は、図６に示すように、先端閉塞部３５内に位置し、後端は、内側チューブ本体３１の基端部に位置するものとなっている。
【００１８】
剛性付与体７１は、金属線からなる線状体などが好ましい。また、この実施例では、剛性付与体７１は、チューブ本体３１を形成する樹脂の外面または肉厚内に埋没している。剛性付与体７１を形成する線状体としては、金属線が好適であり、例えば、ステンレス線、アモルファス合金線などが好ましく、アモルファス合金線としては、鉄−ケイ素−ホウ素系合金、コバルト−ケイ素−ホウ素系合金、鉄−コバルト−クロム−モリブデン−ケイ素−ホウ素系合金などを用いて形成したアモルファス合金線が、好適に使用できる。アモルファス合金線は、上記のような金属を線状に押し出すとともに、急速に冷却することにより形成される非晶質構造を有するものであり、形成されたアモルファス合金線は、さらに適当な内径のダイヤモンドダイスを通すことにより細径化される。アモルファス合金線は、引張強度が高く、かつ弾性変形領域が広く、さらに、耐熱、耐腐食、耐疲労性に優れている。アモルファス合金線としては、線径５〜３０μｍ、より好ましくは、１０〜２０μｍが好適である。また、ステンレス線としては、線径２０〜８０μｍ、より好ましくは、３０〜７０μｍ、特に、４０〜５０μｍが好適である。さらに、線径１〜１０μｍ、より好ましくは、２〜５μｍの金属線（例えば、アモルファス合金線、ステンレス線）を複数本、例えば３〜７本を撚り、１０〜２０μｍの１本の線状体としたものでもよい。
また、剛性付与体としては、側孔３２の終端から内側チューブ本体３１の基端間では、網目状となっているものであってもよい。
【００１９】
そして、内側チューブ３の外面もしくは外側チューブ２の内面さらには両者に、摺動性を付与することが好ましい。このようにすることにより、内側チューブ３の軸方向移動および回転がより容易な物となる。
摺動性の付与は、例えば、摺動性物質の被覆、潤滑性を呈する処理などにより行うことができる。摺動性物質としては、シリコーンオイルもしくはシリコーン樹脂であることが好ましい。シリコーンオイルとしては、シリコーン油基準（II：薬機第３２７号厚生省薬務局医療）又はこれと同等以上の外国の基準に適合するものが好適に用いられる。また、シリコーン樹脂としては、ジメチルポリシロキサンなどを主成分とするシリコーン溶液の固化物が好適である。
また、潤滑性を呈するようにするための処理としては、例えば、ポリヒドロキシエチルメタクリレート、ポリヒドロキシエチルアクリレート、ヒドロキシプロピルセルロース、メチルビニルエーテル無水マレイン酸共重合体、ポリエチレングリコール、ポリアクリルアミド、ポリビニルピロリドン、ジメチルアクリルアミド−グリシジルメタクリレート共重合体等の親水性ポリマーをコーティング、または固定する方法などが挙げられる。
【００２０】
そして、この実施例の内側チューブ３では、図７に示すように、側孔３２は、内側チューブ３に中心軸にほぼ平行に直線状に延びるものとなっている。特に、この実施例における側孔は、ほぼ同じ幅にて、軸方向にある程度延びている。そして、図８に示すように、側孔３２の外縁３８および内縁３９は、面取りされている。また、側孔３２の内側チューブ本体の中心に対する開口角度Ｒは、１〜１８０度が好ましく、特に、３０〜９０度が好ましい。また、後述する図９ないし図１１に示すような態様のものでは、開口角度Ｒは、５〜３０度であってもよい。また、側孔３２の長さは、１０〜１５００ｍｍが好ましく、特に、１０〜１００ｍｍが好ましい。
【００２１】
内側チューブ本体３１としては、可撓性を有するものが用いられる。内側チューブ本体３１の形成材料としては、例えば、ポリオレフィン（例えば、ポリエチレン、ポリプロピレン）、ポリオレフィンエラストマー（例えば、ポリエチレンエラストマー、ポリプロピレンエラストマー、エチレンープロピレン共重合体などを用いたエラストマー等）、ポリ塩化ビニル、エチレン−酢酸ビニル共重合体、ポリアミドエラストマー、ポリウレタン、フッ素樹脂等の熱可塑性樹脂、シリコーンゴム等が使用でき、好ましくは、ポリエチレン、ポリアミドエラストマーあるいはポリウレタンである。
【００２２】
内側チューブハブ３３は、図５および図６に示すような形状および構造を有している。具体的には、ハブ３３は、ルーメン３０と連通する貫通した内部通路を有する筒状体である。そして、側部、把持用の翼部を備え、後端には、吸引手段との接続部３３ａを、先端には、筒状突出部３３ｂを備えている。そして、ハブ３３の筒状突出部３３ｂ内に、内側チューブ本体３１の後端部を収納している。また、ハブ３３と内側チューブ本体３１の後端部は、固着されている。さらに、ここの実施例のカテーテル１では、ハブ３３の筒状突出部３３ｂと内側チューブ本体３１の基端部を被包するキンク防止チューブ３４が設けられている。
【００２３】
本発明のカテーテルにおいて、側孔の形態は、上述したものに限定されない。
例えば、側孔は、内側チューブの中心軸に対して斜めに延びる部分もしくは湾曲部を備えるもの、さらには、拡大部、狭小部を有するものなどであってもよい。  具体的には、図９に示す実施例の内側チューブ３ａが備える側孔３２ａのように、先端部のみ開口面積が大きい拡大部６１となっており、拡大部６１より終端までは、拡大部より幅が狭い長孔部６２となっているものであってもよい。
また、図１０に示す実施例の内側チューブ３ｂが備える側孔３２ｂのように、先端側に設けられた複数の開口面積が大きい拡大部６３を備え、これら拡大部を連結するとともに、終端までは、拡大部より幅が狭い長孔部６４となっているものであってもよい。
さらには、図１１に示す実施例の内側チューブ３ｃが備える側孔３２ｃのように、先端部に内側チューブ本体３１の中心軸対して斜めに延びる部分６５および湾曲部６６を備え、湾曲部以降は、内側チューブ本体３１の中心軸対して平行に延びる長孔部６７となっているものであってもよい。
また、図１４に示す実施例の内側チューブ３ｄが備える側孔３２ｄのように、終端３７が、サイドチューブ４１の基端開口４４より、かなり基端側に位置する、具体的には、内側チューブ本体３１の基端部に位置するようなものであってもよい。
【００２４】
そして、血管内異物吸引用カテーテルとしては、図１５に示すカテーテル１ａのように、外側チューブ２の先端より突出する内側チューブ３の突出長を規制する突出長規制部を備えているものであってもよい。また、突出長規制部は、回動を規制しないもの、言い換えれば、ある程度の回動を許容するものであることが好ましい。
図１５に示すカテーテル１ａでは、内側チューブ３は、基端部に設けられた内側チューブハブ３３を備え、外側チューブ２は、基端部に設けられた外側チューブハブ２３を備え、突出長規制部は、内側チューブハブ３３と外側チューブハブ２３により形成されている。
具体的には、外側チューブハブ２３は、図１５に示すように、ハブ基部２３ａより、先端方向に突出する筒状部２３ｂを備え、筒状部２３ｂには、軸方向に所定長延びるスロット２３ｃを備えている。スロット２３ｃは、所定幅にて所定長延びるものとなっている。
【００２５】
内側チューブハブ３３は、翼部を有する本体部より先端方向に延びる筒状突出部３３ｃを備えている。この筒状突出部３３ｃ内に、内側チューブ本体３１の基端部が収納されている。そして、筒状突出部３３ｃは、図１５に示すように、外側チューブハブ２３の基端より、内部に進入可能なものとなっており、さらに、筒状突出部３３ｃの表面には、スロット２３ｃ内に進入する突起３３ｄが設けられている。このため、内側チューブハブ３３は、突起３３ｄが、スロット２３ｃの先端に当接するまで、先端方向に移動（押し込み）可能であり、突起３３ｄが、スロット２３ｃの後端に当接するまで、後端方向に移動（引き戻し）可能となっている。また、突起３３ｄの幅（直径）は、スロット２３ｃの幅より、十分に小さい。このため、内側チューブハブ３３は、突起３３ｄが、スロット２３ｃの一方の側部に当接する位置から他方の側部当接する位置までの回動可能となっている。
【産業上の利用可能性】
【００２６】
本発明の血管内異物吸引用カテーテルは、以下のものである。
（１）可撓性外側チューブと、前記可撓性外側チューブ内を挿通し、先端部が前記可撓性外側チューブより突出可能な可撓性内側チューブとを備える血管内異物吸引用カテーテルであって、前記外側チューブは、前記外側チューブの先端付近かつ周縁部に位置する先端開口と、前記先端開口より所定長基端側となる側部に位置する後端開口とを有するガイドワイヤルーメンを備え、前記内側チューブは、閉塞先端部と、前記閉塞先端部付近に始端を有し、基端側に延びる長い側孔を備え、かつ、前記内側チューブは、前記外側チューブ内を軸方向に摺動可能であり、前記外側チューブの先端より露出する前記側孔の開口面積を調整可能である血管内異物吸引用カテーテル。
このカテーテルでは、内側チューブの外側チューブからの突出長を調整することにより、露出する側孔の軸方向長および開口面積が変化するので、内側チューブの突出長を調整することにより、吸引調整を行うことができる。【００２７】
（２）  前記内側チューブは、前記内側チューブの基端部にて与えた回転力により、前記先端部が回転し、前記側孔の位置を変更可能である上記（１）に記載の血管内異物吸引用カテーテル。
（３）  前記側孔は、前記内側チューブの中心軸にほぼ平行に直線状に延びている上記（１）または（２）に記載の血管内異物吸引用カテーテル。
（４）  前記側孔は、前記内側チューブの中心軸に対して斜めに延びる部分もしくは湾曲部を備えている上記（１）または（２）に記載の血管内異物吸引用カテーテル。
（５）  前記内側チューブは、剛性付与体を備えている上記（１）ないし（４）のいずれかに記載の血管内異物吸引用カテーテル。
（６）  前記内側チューブの内面もしくは前記外側チューブの内面は、摺動性表面となっている上記（１）ないし（５）のいずれかに記載の血管内異物吸引用カテーテル。
（７）  前記血管内異物吸引用カテーテルは、前記外側チューブの先端より突出する前記内側チューブの突出長を規制する突出長規制部を備えている上記（１）ないし（６）のいずれかに記載の血管内異物吸引用カテーテル。
【図１】
2014147815.tif 000003
【図２】
2014147815.tif 000004
【図３】
2014147815.tif 000005
【図４】
2014147815.tif 000006
【図５】
2014147815.tif 000007
【図６】
2014147815.tif 000008
【図７】
2014147815.tif 000009
【図８】
2014147815.tif 000010
【図９】
2014147815.tif 000011
【図１０】
2014147815.tif 000012
【図１１】
2014147815.tif 000013
【図１２】
2014147815.tif 000014
【図１３】
2014147815.tif 000015
【図１４】
2014147815.tif 000016
【図１５】
2014147815.tif 000017
【国際調査報告】
2014147815.tif 000018
2014147815.tif 000019